(57)【要約】      （修正有）【課題】塩化樹脂系シートに直線と円弧をコンパスが無くとも描ける定規を提供する。【解決手段】直線定規１の背面側に略半円形状のキャップ体、若しくは吸盤を一体的に植立した支軸を挿通して軸突端に止め具４を螺着し、更に直線定規の平面の適宜位置に複数の透孔５を設けた事により、コンパスが無くとも直線と円弧を傷や孔を空けずに描ける。【選択図】図１
0003222281.tif 000002
【実用新案登録請求の範囲】
【請求項１】
直線定規の背面側の長手方向の先端付近の位置に略半円形状のキャップ体と一体的に植立した支軸を挿通して軸突端に止め具を螺着し、更に前記直線定規の平面の長手方向に沿って適宜の間隔に複数の透孔を設けたことを特徴とする定規。
【考案の詳細な説明】
【技術分野】
【０００１】  本考案は、屋上やベランダの塩化樹脂系シートによる通気口の防水施工に於いて、塩化樹脂系シートを円弧に描く定規に関するものである。
【背景技術】
【０００２】  従来、通気口の防水施工に於いて塩化樹脂系シートを円弧に切断するには、糸を指先で押さえ込み通気口の円筒の半径に該当する中心部を指先で押さえ込み糸先を縦横４箇所のポイントをフェルトペン等の筆記具で描き、縦横４箇所のポイントを筆記具で連結しながら円形状に描き、さらに同様の方法で前記中心部で糸を指先で押さえ込み前記円弧のより大きな円弧を描くものであった。また円弧に描くものとしてコンパスやサークル定規が存在するが、コンパスは片方の脚の先の針を描こうとする円弧の中心点に針を突き刺し使用するので塩化樹脂系シートに孔が空いてしまった。またサークル定規は小径の円弧を描くことは出来るが、大径は描くことが出来なかった。
【先行技術文献】
【０００３】
【特許文献】
【特許文献】実開平０７−０１１３９０号公報
【考案の概要】
【考案が解決しようとする課題】
【０００４】  従来、通気口の防水施工に於いて塩化樹脂系シートを円弧に切断するには、糸を用いて切断する円弧の中心部を指先で押さえ込み、縦横４箇所に描いたポイント地点を筆記具で連結さしながら円弧に描いたり、糸先に筆記具を結び付けて円弧に描いていたが、正確な円弧を描くことは困難であり手間も掛かってしまうものであった。また円弧に描くものとしてコンパスやサークル定規が存在するが、コンパスは片方の脚の先の針を描こうとする円弧の中心点に針を突き刺し使用するので、塩化樹脂系シートに孔が空いてしまい、透孔が出来てしまった円弧の塩化樹脂系シートを部分修理を行うパッチ処理では孔が水漏れの原因となるので使用出来ない。またサークル定規の小径は１００ｍｍ位までの円弧を描くことは出来るが、大径を必要とする現場にはそぐわないものである。また直線と円弧を描くのに、直線定規と円弧を描くための糸を別々に用意しなければならなかった。本考案は、上記問題を解決するために直線定規の機能と円弧を描く機能を一体化して問題を解決している。
【問題を解決する手段】
【０００５】  プラスチック等の透明な直線定規の背面側の長手方向の先端付近の位置に略半円形状のキャップ体と一体的に植立した支軸を挿通して軸突端に止め具を螺着し、更に前記直線定規の板面で長手方向に沿って適宜間隔に目盛りと複数の筆記用具を差し込む透孔を設けて、コンパスが無くとも円弧を描くことが出来る定規で問題を解決している。
【考案の効果】
【０００６】  上述の様に、直線定規の背面側の長手方向の先端付近の位置に略半円形状のキャップ体と一体的に植立した支軸を挿通して軸突端に止め具を螺着しているので、円弧を描こうとする中心点に略半円形状のキャップ体の頭部を押し付けても、塩化樹脂系シートに接してるキャップ体の面は略半円形状に形成されているので、傷や孔が空いてしまうことがない。
【０００７】  また円弧を描くときは、円弧を描こうとする中心点に直線定規の背面側の適宜位置に設けた略半円形状のキャップ体の頭部を円弧を描こうとする中心点に合わし、指で止め具に押し圧を掛けながら、フェルトペン等の筆記具を直線定規の透孔内に差し込み、直線定規を回転することにより容易に円弧を描画することが出来る。
【０００８】  そして円径の大きさは直線定規の平面の長手方向に沿って適宜間隔に目盛りに設けた複数の透孔を選択することにより、容易に円弧を描く事が出来るものである。なお目盛りには１００φ、２００φ等が付されているので、即座に円弧を描こうとする径を選択することが出来る。
【０００９】  また円弧を描こうとする中心点に略半円形状のキャップ体の頭部を押し付けても、塩化樹脂系シートに傷や孔が空くことが無い。なので円弧を描いた塩化樹脂系シートを円弧に沿って切断した円形状の部材は、パッチ処理の部材として再使用することが出来る。
【００１０】  さらに、直線定規の機能と円弧を描く機能を一体化しているので、直線定規として直線を描くときや、円弧を描く時も同時に使用することが出来し、透明なプラスチック等の直線定規にすることにより描画面が確認できる利点がある。
【図面の簡単な説明】
【００１１】
【図１】本考案の一部欠損正面図である。
【図２】本考案の略半円形状のキャップ体を設けた定規の一部欠損断面図である。
【図３】吸盤を設けた定規の一部欠損断面図である。
【考案を実施するための形態】
【００１２】  本考案は、直線定規の背面側の適宜位置に略半円形状のキャップ体と一体的に植立した支軸を挿通して軸突端に止め具を螺着し、更に前記直線定規の平面の適宜位置に複数の目盛りを付して筆記用具を差し込む透孔を設けて問題を解決している。また本考案の実施例として直線定規の背面側の適宜位置に吸盤を回転自在に設けても良い。
【実施例】
【００１３】  以下、本考案の実施の形態を図に基づいて説明する。１は定規であって透明なプラスチック等で形成された直線定規である。２は略半円形状のキャップ体で一体的に植立した支軸３を有しており、支軸３を直線定規１の背面側の長手方向の先端付近の位置に挿通して軸突端に止め具４で螺着して取り付けられている。５は透孔であって直線定規の平面の適宜位置に筆記用具を差し込む複数の透孔で目盛りを付している。なお略半円形状のキャップ体２の代わりに吸盤６を設置して直線定規１との間で回転自在に出来るように設けても良い。【００１４】  このように構成された定規は直線定規１として直線を描くときや、円弧を描く時も同時に使用することが出来る。通気口の円筒の円弧を描く時は、円弧を描こうとする中心点に直線定規１は背面側の適宜位置に設けた略半円形状のキャップ体２の頭部を円弧を描こうとする中心点に合わし、指で止め具４に押し圧を掛けながら、フェルトペン等の筆記具を直線定規１の透孔５の通気口の円筒の径に該当する透孔５内の差し込みは、直線定規の平面の長手方向に沿って適宜間隔に目盛りに設けた複数の透孔５を選択することにより、容易に円弧を描く事が出来るものである。なお目盛りには１００φ、２００φ等が付されているので、即座に円弧を描こうとする径を選択することが出来て、直線定規１を回転することにより円弧を描くことが出来る。さらに同様の方法で通気口の円筒の径を描いた外周に前記円弧よりさらに大きな円弧を描いてドーナッツ状の円弧を描画するものである。【００１５】  また半円形状のキャップ体２の代替わりに吸盤６を設置しても良く直線定規１との間で回転自在に出来るように設けて、フェルトペン等の筆記具を直線定規１の透孔５内に差し込み、直線定規１を回転することにより円弧を描くことも出来るので採用可能である。【００１６】  本考案の定規で、塩化樹脂系シート上に描いたドーナッツ状の円弧の線に沿って切り抜くと、ドーナッツ状の塩化樹脂系シートが形成され、ドーナッツ状の一端を切断してコンクリート面より突出している通気口の円筒の根元にはめ込み円筒の外周を包み込むように根元から上方にかけて密着させた後、上部より塩化樹脂系シートを張りめぐらして防水している。【００１７】  故にドーナッツ状に切断した真ん中の円形状の部材は傷や孔が空いていないので、パッチ処理の部材として再利用出来て、破れ箇所にパッチ処理を行って破れ箇所を覆うことで部分修理や、また立ち上がりの角の凸部分に円形状に切断した部材で立体的なでパッチ処理に利用できる。このような角部分は水が溜まりやすく劣化しやすいので、しっかり防水する必要があり、立ち上がりの角の凹部分にも同様にパッチ処理を行うもので、円形状の傷や孔の空いてないパッチ処理の部材としても提供できるものである。
【産業上の利用可能性】
【００１８】  本考案は、定規を製造する産業で利用される。
【符号の説明】
【００１９】  １  直線定規
２  略半円形状のキャップ体
３  支軸
４  止め具
５  透孔
６  吸盤
【図１】
0003222281.tif 000003
【図２】
0003222281.tif 000004
【図３】
0003222281.tif 000005